(57)【要約】【課題】吸収体の表面から浮き上がって存在するようなスキンコンタクトシートの基本機能を持ち、股下部での位置ずれがなく、着用者の肌と尿便との接触を効果的に回避する吸収体物品を提供することの提供。【解決手段】シート状の防漏体と、前記防漏体の上部に、少なくとも１層配置された、体液を吸収しうる吸収体と、前記吸収体の上部において前記防漏体の前部と前記防漏体の後部との間にかけて配置され、着用時に、着用者の肌に接触し、かつ、前記吸収体と離間した状態となる、スキンコンタクト部材と、着用時に前記スキンコンタクト部材の着用者の股下部に相当する部分と、前記吸収体とを結合する、連結ユニットとを具備する、吸収体物品。【選択図】図１
2013088751.tif 000002
【特許請求の範囲】
【請求項１】
シート状の防漏体と、
前記防漏体の上部に、少なくとも１層配置された、体液を吸収しうる吸収体と、
前記吸収体の上部において前記防漏体の前部と前記防漏体の後部との間にかけて配置され、着用時に、着用者の肌に接触し、かつ、前記吸収体と離間した状態となる、スキンコンタクト部材と、
着用時に前記スキンコンタクト部材の着用者の股下部に相当する部分と、前記吸収体とを結合する、連結ユニットと
を具備する、吸収体物品。
【請求項２】
前記スキンコンタクト部材が、前身頃部に尿透過用開口を有し、かつ、後身頃部に便透過用開口を有するシートである、請求項１に記載の吸収体物品。
【請求項３】
前記連結ユニットの前記スキンコンタクト部材と結合する部分より前の部分が、前記尿透過用開口部の下側に垂れ下がっている、請求項２に記載の吸収体物品。
【請求項４】
前記連結ユニットが、股下部から後端部に至る部位において前記吸収体の少なくとも一部を被覆している、請求項２又は３に記載の吸収体物品。
【請求項５】
前記連結ユニットの左右端部が、前記防漏体の左右端部まで延在している、請求項２又は３に記載の吸収体物品。
【請求項６】
前記スキンコンタクト部材が、前後方向に延在する左右２本の帯状部材からなり、
前記連結ユニットが、前記スキンコンタクト部材の着用者の股下部に相当する部分で前記２本の帯状部材を連結する、請求項１に記載の吸収体物品。
【請求項７】
前記連結ユニットの前記スキンコンタクト部材と結合する部分より前の部分が、前記尿透過用開口部の下側に垂れ下がっている、請求項６に記載の吸収体物品。
【請求項８】
前記連結ユニットが、股下部から後端部に至る部位において前記吸収体の少なくとも一部を被覆している、請求項６又は７に記載の吸収体物品。
【請求項９】
前記連結ユニットの左右端部が、前記防漏体の左右端部まで延在している、請求項６又は７に記載の吸収体物品。
【請求項１０】
前記スキンコンタクト部材が、前後方向に延在する左右２本の帯状部材と、前記帯状部材から垂れ下がる垂下部材とを有し、
前記連結ユニットが、前記スキンコンタクト部材の着用者の股下部に相当する部分で、前記２本の帯状部材を連結する、請求項１に記載の吸収体物品。
【請求項１１】
前記連結ユニットの前記スキンコンタクト部材と結合する部分より前の部分が、前記尿透過用開口部の下側に垂れ下がっている、請求項１０に記載の吸収体物品。
【請求項１２】
前記連結ユニットが、股下部から後端部に至る部位において前記吸収体の少なくとも一部を被覆している、請求項１０又は１１に記載の吸収体物品。
【請求項１３】
前記連結ユニットの左右端部が、前記防漏体の左右端部まで延在している、請求項１０又は１１に記載の吸収体物品。
【請求項１４】
前記吸収体が、高吸水性樹脂を含有する、請求項１〜１３のいずれかに記載の吸収体物品。
【請求項１５】
左右方向における前記スキンコンタクト部材が存在する位置よりも外側に、更に、左右一対のインナーレッグギャザーを具備する、請求項１〜１４のいずれかに記載の吸収体物品。
【請求項１６】
左右方向における前記スキンコンタクト部材が存在する位置よりも外側に、更に、左右一対のアウターレッグギャザーを具備する、請求項１〜１５のいずれかに記載の吸収体物品。
【発明の詳細な説明】
【技術分野】
【０００１】
本発明は、吸収体物品に関する。
【背景技術】
【０００２】
紙おむつ（子供用及び大人用）、生理用ナプキン、失禁用品、トレーニングパンツ等の吸収体物品は、高吸水性樹脂（Ｓｕｐｅｒ  Ａｂｓｏｒｂｅｎｔ  Ｐｏｌｙｍｅｒ、以下「ＳＡＰ」ともいう。）を用いた吸収体により、着用者から排出された尿等の体液を吸収する物品である。
従来、弾性部材により着用者に密着状態で当接するようにされ、かつ、便透過用の開口部を有するスキンコンタクトシートを設けることが知られている（特許文献１〜３参照）。
【先行技術文献】
【特許文献】
【０００３】
【特許文献１】特開２００２−１１０４４号公報
【特許文献２】特開２００２−１４３２１７号公報
【特許文献３】特開２００２−２０４８１１号公報
【発明の概要】
【発明が解決しようとする課題】
【０００４】
本発明者は、上記特許文献１〜３に記載の吸収体物品を含む、近年の吸収体物品の技術動向を以下のように捉えている。【０００５】
吸収体物品の構造設計において、従来はトップシートとバックシートとその間に介在する吸収体から構成されているのが基本構造とされてきたが、近年は構成部材の配置をより３次元（３Ｄ）的に考えることが重視されるとともに、各部位にそれぞれ機能を分担させるような設計に変わりつつある。第１表は子供用おむつ（Ｍサイズ〜Ｌサイズ）を例にその考え方を整理して示したものである。【０００６】
【表１】
2013088751.tif 000003
【０００７】
（Ａ）Ｚ方向の配置（着用者の肌に接触する最表面から最裏面の防漏体に至るまでの配置）について
従来、最表面はトップシートであり、そこに尿、便をともに受容するため、着用者の肌が排出された尿便に常に接触する構造になっていた。
近年、第１表に示したように、吸収体の上面から浮き上がり、常に肌に密着していて、排出された尿便との接触を回避するようにスキンコンタクトシートを最表面に配置して、上から、尿便コンタクトシート、吸収体、そして裏面の尿便バリヤーシートという構成とすることが提案されている（上記特許文献１〜３参照）。
しかしながら、本発明者の検討によれば、この新しく導入されたスキンコンタクトシートは、前後端部のみで固定され、他に固定点がないため、着用時に、特に、重要な中央にある股下部で左右、前後に位置ずれを起こし、位置が安定しないという致命的欠点がある。【０００８】
（Ｂ）Ｘ方向の配置（吸収体物品の幅方向の左右端部から中心に至る配置）について
一般的には、左右両側においてバックシートに接合されているガゼットギャザーと、吸収体の左右端部付近から立ち上がるインナーレッグギャザー（ＩＬＧ）とにより、吸収体の表面を伝って流れる尿便を側面でブロックして、横漏れを防止している。
しかしながら、この左右に配置されたＩＬＧの頭頂部の間隔は、腹部側（前側）、股下部（中央部）及び背部側（後側）のいずれにおいてもほぼ同じ（通常、７０〜１００ｍｍ）であるところ、着用時には、股下部ではその狭窄な間隔（通常、２０〜３０ｍｍ）のため大きく変形した状態で押し込まれ、不均一に着用者の会陰部に接触するので、依然として漏れの大きな原因となっている。【０００９】
（Ｃ）Ｙ方向の配置（吸収体物品の長さ方向の前端縁部から後端縁部に至る配置）について
Ｙ方向をその果たす機能で分類すると５部位に分けられるが、より大きく分類すると、着用者の腹部側に相当する前身頃と、着用者の会陰近傍に相当する股下部と、着用者の背部側に相当する後身頃との３部位に分けられる（第１表参照）。おむつの設計で特に重要なのは尿便の排出口が近接し、しかも狭窄状態にある股下部の設計である。【００１０】
本発明は、吸収体の表面から浮き上がって存在するようなスキンコンタクトシートの基本機能を持ち、股下部での位置ずれがなく、着用者の肌と尿便との接触を効果的に回避する吸収体物品を提供することを目的とする。
【課題を解決するための手段】
【００１１】
本発明者は、上記目的を達成すべく鋭意研究した結果、吸収体の上部において防漏体の前部と防漏体の後部との間にかけて、着用時に着用者の肌に接触する、スキンコンタクト部材を設け、かつ、吸収体とスキンコンタクト部材とが離間した状態となるようにし、さらに、着用時にスキンコンタクト部材の着用者の股下部に相当する部分と、吸収体とを結合する、連結ユニットを設けることにより、スキンコンタクト部材の会陰部における位置のずれを防止することができ、ひいては、排出された尿便の着用者の肌への接触を効果的に防止することができることを見出し、本発明を完成させた。【００１２】
すなわち、本発明は、以下の（１）〜（１６）を提供する。
（１）シート状の防漏体と、
前記防漏体の上部に、少なくとも１層配置された、体液を吸収しうる吸収体と、
前記吸収体の上部において前記防漏体の前部と前記防漏体の後部との間にかけて配置され、着用時に、着用者の肌に接触し、かつ、前記吸収体と離間した状態となる、スキンコンタクト部材と、
着用時に前記スキンコンタクト部材の着用者の股下部に相当する部分と、前記吸収体とを結合する、連結ユニットと
を具備する、吸収体物品。
（２）前記スキンコンタクト部材が、前身頃部に尿透過用開口を有し、かつ、後身頃部に便透過用開口を有するシートである、上記（１）に記載の吸収体物品。
（３）前記連結ユニットの前記スキンコンタクト部材と結合する部分より前の部分が、前記尿透過用開口部の下側に垂れ下がっている、上記（２）に記載の吸収体物品。
（４）前記連結ユニットが、股下部から後端部に至る部位において前記吸収体の少なくとも一部を被覆している、上記（２）又は（３）に記載の吸収体物品。
（５）前記連結ユニットの左右端部が、前記防漏体の左右端部まで延在している、上記（２）又は（３）に記載の吸収体物品。
（６）前記スキンコンタクト部材が、前後方向に延在する左右２本の帯状部材からなり、
前記連結ユニットが、前記スキンコンタクト部材の着用者の股下部に相当する部分で前記２本の帯状部材を連結する、上記（１）に記載の吸収体物品。
（７）前記連結ユニットの前記スキンコンタクト部材と結合する部分より前の部分が、前記尿透過用開口部の下側に垂れ下がっている、上記（６）に記載の吸収体物品。
（８）前記連結ユニットが、股下部から後端部に至る部位において前記吸収体の少なくとも一部を被覆している、上記（６）又は（７）に記載の吸収体物品。
（９）前記連結ユニットの左右端部が、前記防漏体の左右端部まで延在している、上記（６）又は（７）に記載の吸収体物品。
（１０）前記スキンコンタクト部材が、前後方向に延在する左右２本の帯状部材と、前記帯状部材から垂れ下がる垂下部材とを有し、
前記連結ユニットが、前記スキンコンタクト部材の着用者の股下部に相当する部分で、前記２本の帯状部材を連結する、上記（１）に記載の吸収体物品。
（１１）前記連結ユニットの前記スキンコンタクト部材と結合する部分より前の部分が、前記尿透過用開口部の下側に垂れ下がっている、上記（１０）に記載の吸収体物品。
（１２）前記連結ユニットが、股下部から後端部に至る部位において前記吸収体の少なくとも一部を被覆している、上記（１０）又は（１１）に記載の吸収体物品。
（１３）前記連結ユニットの左右端部が、前記防漏体の左右端部まで延在している、上記（１０）又は（１１）に記載の吸収体物品。
（１４）前記吸収体が、高吸水性樹脂を含有する、上記（１）〜（１３）のいずれかに記載の吸収体物品。
（１５）左右方向における前記スキンコンタクト部材が存在する位置よりも外側に、更に、左右一対のインナーレッグギャザーを具備する、上記（１）〜（１４）のいずれかに記載の吸収体物品。
（１６）左右方向における前記スキンコンタクト部材が存在する位置よりも外側に、更に、左右一対のアウターレッグギャザーを具備する、上記（１）〜（１５）のいずれかに記載の吸収体物品。
【発明の効果】
【００１３】
本発明の吸収体物品は、排出された尿便の着用者の肌への接触を効果的に防止することができる。
【図面の簡単な説明】
【００１４】
【図１】本発明の吸収体物品の例を示す模式図である。
【図２】連結ユニットの例を示す模式的な斜視図である。
【図３】本発明の吸収体物品の別の例を示す模式図である。
【図４】本発明の吸収体物品の別の例を示す模式図である。
【図５】本発明の吸収体物品の別の例を示す模式図である。
【図６】本発明の吸収体物品の別の例を示す模式図である。
【図７】本発明の吸収体物品に用いられる２本の帯状部材からなるスキンコンタクト部材の種々の配置の例を示す模式的な平面図である。
【図８】本発明の吸収体物品の別の例を示す模式図である。
【図９】本発明の吸収体物品の別の例を示す模式図である。
【図１０】本発明の吸収体物品の別の例を示す模式図である。
【図１１】連結部材３４の模式的な斜視図である。
【図１２】連結部材３６の模式的な平面図である。
【図１３】本発明の吸収体物品の別の例を示す模式図である。
【図１４】スキンコンタクト部材３８の模式図である。
【図１５】本発明の吸収体物品の別の例を示す模式図である。
【図１６】連結部材３６ａの模式的な平面図である。
【図１７】本発明の吸収体物品の別の例を示す模式図である。
【発明を実施するための形態】
【００１５】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してあり、添付した図面中の各縦端面図及び各縦断面図においては、図の左側に吸収体物品等の前側が位置するように図示してある。さらに、各種部位の寸法に関しては、子供用おむつのＭサイズ又はＬサイズを標準として表しており、大人用おむつを示す場合も、大人用おむつのＭサイズ又はＬサイズを基にして表している。
【００１６】
図１は、本発明の吸収体物品の例を示す模式図である。図１（Ａ）は平面図であり，図１（Ｂ）は図１（Ａ）中のＩＢ−ＩＢ線に沿った縦端面図である。
【００１７】
図１に示される本発明の吸収体物品１００は、基本的に、シート状の防漏体１０と、防漏体１０の上部に、少なくとも１層配置された、高吸水性樹脂を含有し体液を吸収しうる吸収体１２と、吸収体１２の上部において防漏体１０の前部と防漏体１０の後部との間にかけて配置され、着用時に、着用者の肌に接触し、かつ、吸収体１２と離間した状態となる、スキンコンタクト部材１４と、着用時にスキンコンタクト部材１４の着用者の股下部に相当する部分と、吸収体１２とを結合する、連結ユニット１６とを具備する。
【００１８】
防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、ＰＰのスポットボンド不織布）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、マイクロファイバーウェブの細孔をミクロフィブリル化セルロース（ＭＦＣ）やワックスで充填することにより耐水性を付与されたＳＢが挙げられる。この場合、単独で用いてもよく、フィルムと高耐水性不織布との複層シートとして用いることもできる。
【００１９】
防漏体１０は、複数の部材から構成されていてもよい。
【００２０】
防漏体１０は、シート状であれば、その形状を特に限定されない。
【００２１】
本発明に用いられる吸収体１２は、体液を吸収しうるものであれば特に限定されず、従来公知の吸収体物品に用いられる吸収体を用いることができる。例えば、粉末状の木材パルプ、無加工のＳＡＰ等の粉体状吸収体、シート状吸収体を用いることができる。
シート状吸収体は、形態安定性、ＳＡＰの脱落防止等の可能性等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００２２】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２３】
吸収体１２は、防漏体１０の上部に、少なくとも１層配置される。すなわち、吸収体１２は、１層であってもよく、２層以上（複数層）であってもよい。
また、吸収体１２は、折りたたんだ状態で配置することもできる。
なお、本発明においては、吸収体と連結ユニットとの結合は、吸収体が露出している構造であればその吸収体の上側の表面と連結ユニットとの結合であり、吸収体の表面に接合されたアクイジション層やトップシートが存在していればそのアクイジション層やトップシートの上側の表面と連結ユニットとの結合を意味する。
【００２４】
スキンコンタクト部材１４は、図１に示されているように、吸収体１２の上部において防漏体１０の前部と防漏体１０の後部との間にかけて、配置される。
スキンコンタクト部材１４の構造は、着用時に、着用者の肌に接触し、かつ、吸収体１２と離間した状態となるものであれば特に限定されない。例えば、図１（Ｂ）に示されるように、スキンコンタクト部材１４の防漏体１０の前部及び後部と結合している２箇所の部分の長さを、その部分に対応する防漏体１０の長さより短くした構造が挙げられる。
【００２５】
また、スキンコンタクト部材は、着用者の肌へ常時接触しやすくするために、伸縮性を有しているのが好ましい。伸縮性を付与するには、例えば、スキンコンタクト部材自体を、伸縮性を持つポリウレタンフィラメント等の伸縮性部材からなるニット、ネット、不織布等から構成する態様、スキンコンタクト部材の左右側縁に伸縮性部材を接合した態様が挙げられる。より具体的には、例えば、特許文献１に記載のスキンコンタクトシートのように、弾性部材が接合されており、着用時に弾性部材が引き延ばされ、着用者の肌に密着状態で当接する構造のものが挙げられる。
【００２６】
スキンコンタクト部材は、形状を特に限定されず、例えば、シート状、バンド状、カーテン状、並行レール状とすることができる。
【００２７】
スキンコンタクト部材を構成する材料は、スキンコンタクト部材が着用者の肌に直接接触することになるので、低刺激性であること、表面が滑らかでソフトタッチであること、汗を吸収しても肌にべたつかないことが、それぞれ好ましい。
具体的には、例えば、ＰＥ、ＰＰ、ＰＥＴ、ナイロン等のフィラメントからなるメッシュ類；合成繊繊の細い糸（５デニール以下であるのが好ましい。）を原材料とするエアースルー、スパンメルト、スパンレース等の不織布；前記不織布の開孔加工品；前記不織布の畝状の加工品が好適に挙げられる。
これらは、スキンコンタクトシートが着用者の肌に直接接触することになるので、表面が親水性、特に吸汗性であるのが好ましい。具体的には、例えば、合成繊維から構成される不織布に表面親水化処理を施したシート、親水性不織布を上側に、疎水性不織布を下側にして２枚重ねて構成されたシートが挙げられる。
【００２８】
図１に示されるスキンコンタクト部材１４は、前身頃部に尿透過用開口Ｏｆを有し、かつ、後身頃部に便透過用開口Ｏｒを有するシートである。
スキンコンタクト部材１４は、このように尿透過用開口Ｏｆ及び便透過用開口Ｏｒを有する構成とすることにより、これら以外の部分によって、吸収体１２の上を広く被覆することができる。したがって、通常は吸収体１２とスキンコンタクト部材１４とが離間しているところ、着用者の体位等により吸収体１２が着用者の側に変形してきたりしても、吸収体１２と直接接触する着用者の肌の部分を減少するように働く。
【００２９】
スキンコンタクト部材は、上述したように、尿透過用開口及び便透過用開口の一方又は両方を有するのが好ましい態様の一つである。
尿透過用開口は、本発明の吸収体物品が女性用吸収体物品として用いられる場合は、尿道口から排出された尿の通過口となり、男性用吸収体物品として用いられる場合は、ペニス、又は、ペニス及び睾丸が収容される。
尿透過用開口は、上記の機能を奏するものであれば、形状を特に限定されないが、例えば、図１（Ａ）に示されるように、スキンコンタクト部材の前身頃に形成された角の丸い三角形状の切欠きが挙げられる。切欠きの形状は、特に限定されず、上記の他に、円形、長方形が挙げられる。また、切欠きではなく、スキンコンタクト部材に設けられたスリットであってもよい。
【００３０】
便透過用開口は、着用者が排出する便を透過させ、便は吸収体上に受容される。
便透過用開口は、上記の機能を奏するものであれば、形状を特に限定されないが、例えば、図１（Ａ）に示されるように、スキンコンタクト部材の後身頃に形成された角の丸い三角形状の切欠きが挙げられる。切欠きの形状は、特に限定されず、上記の他に、円形、長方形が挙げられる。
【００３１】
尿透過用開口及び便透過用開口を有しないスキンコンタクト部材の態様としては、例えば、スキンコンタクト部材の前部及び／又は後部が尿や便が排出される位置まで深くえぐれているシートである態様や、スキンコンタクト部材が複数のバンド（例えば、左右２本のバンド）からなり、尿や便が排出される位置がバンドの間隙となる態様が挙げられる。
【００３２】
連結ユニット１６は、着用時にスキンコンタクト部材１４の着用者の股下部に相当する部分と、吸収体１２とを結合する。これにより、着用時に、スキンコンタクト部材１４の左右方向の位置のずれを防止することができる。
【００３３】
図２は、連結ユニットの例を示す模式的な斜視図である。
連結ユニット１６は、図２に示されるように、長方形のシートである。連結ユニット１６には、着用時にスキンコンタクト部材１４の着用者の股下部に相当する部分に結合する結合部１８と、吸収体１２に結合する結合部２０とを有している。
【００３４】
連結ユニット１６は、図１に示されるように、結合部１８及び結合部２０でスキンコンタクト部材１４及び吸収体１２にそれぞれ結合する。
結合の方法は、特に限定されず、例えば、接着剤により結合する方法が挙げられる。
また、図１においては、連結ユニット１６の結合部１８がスキンコンタクト部材１４の下面と結合しているが、本発明においてはこれに限定されず、例えば、連結ユニットがスキンコンタクト部材の着用者の股下部に相当する部分の上面と結合していてもよい（図１０、図１３及び図１５参照）。
【００３５】
連結ユニット１６において、結合部１８よりも前に存在する垂れ下がり部２２は、着用者から排出される尿が吸収体１２へと移動する際の流路を形成する。このように、連結ユニット１６のスキンコンタクト部材１４と結合する部分より前の部分が、尿透過用開口部Ｏｆの下側に垂れ下がっていると、尿の吸収体１２への移動が円滑となり、特に、本発明の吸収体物品が女性用である場合に有用である。
【００３６】
連結ユニットは、吸収体とスキンコンタクト部材とを結合するものであれば、図２に示される構成に限定されない。例えば、シート状、帯状、ネット状、テープ状、糸状のものであってもよい。
【００３７】
シート状の連結ユニットは、例えば、１枚のシート又はこれを２枚以上重ね合わせて構成することができる。
シート状の連結ユニットは、前後方向の長さ（図２中のＬ）が６０〜１２０ｍｍであるのが好ましく、また、左右方向の幅（図２中のＷ）が３０〜１００ｍｍであるのが好ましい。
【００３８】
吸収体物品１００においては、上述したように、着用時に、スキンコンタクト部材１４が着用者の肌に接触し、かつ、吸収体１２と離間した状態となっているので、吸収体１２に吸収された尿又は吸収されるまでに滞留している尿が着用者の肌に接触して不快感を生じさせたり、吸収体１２上に受容された便が着用者の肌に接触して汚れを生じさせたりすることを抑制することができる。
また、吸収体物品１００においては、上述したように、連結ユニット１６により、着用時に、スキンコンタクト部材１４の左右方向の位置のずれ（中でも、股下部における左右方向の位置のずれ）を防止することができる。したがって、スキンコンタクト部材が着用時に会陰部からずれて隙間を生じ、尿の横漏れを発生させたり、尿によりスキンコンタクト部材１４が濡れる状態になって肌を尿で湿潤させたり、便がスキンコンタクト部材１４上に残って臀部の汚れを生じさせたりすることを効果的に防止することができる。
なお、本発明においては、連結ユニットは、左右方向の可動範囲は狭い方が好ましい。また、前後方向の可動範囲は、結合部１８と結合部２０との（前後方向の）間隔によって制御され、着用者の肌と吸収体１２とを離間した状態で保つ点で、ある程度広い方が好ましい。
【００３９】
連結ユニットは、スキンコンタクト部材と吸収体とを所定の距離（例えば、１０〜２０ｍｍ）で維持する態様であるのが好ましい。
【００４０】
図１に示される本発明の吸収体物品１００は、具体的には、以下のようにして構成することができる。
スキンコンタクト部材１４は、例えば、以下のようにして設けることができる。
まず、前後方向の長さ４５０ｍｍ、左右方向の幅９０ｍｍの目付量１３ｇ／ｍ２のＰＥ／ＰＰスパンボンド不織布（例えば、チッソ社製）の両側端を１０ｍｍずつ折り返し、２本の２００ｄｅｘウレタンフィラメント（例えば、東レ・デュポン社製）を粘着剤により折り返した両側端に接合して設置し、両側端部に伸縮性を付与する。
ついで、前身頃に尿透過用開口Ｏｆ、後身頃に便透過用開口Ｏｒを、間隔が１０ｍｍとなるように設けてそれぞれ形成し、スキンコンタクト部材１４を得る。
さらに、得られたスキンコンタクト部材１４を伸長させた状態で、その前端部及び後端部を、防漏体１０の前端部付近及び後端部付近にホットメルトで固定する。その際、固定される部分を図１に示されるより広くして、スキンコンタクト部材１４と吸収体１２の前端や後端とを併せて固定することもできる。
また、防漏体の前端部や後端部がアクイジション層やトップシートのような部材で被覆されている場合（例えば、吸収体及び防漏体が全体的にアクイジション層やトップシートのような部材で被覆されている場合）には、スキンコンタクト部材と防漏体とを、被覆している部材を介して固定することもできる。
【００４１】
連結ユニット１６は、例えば、以下のようにして設けることができる。
まず、３５メッシュのエラストマーネット（例えば、コンウェド社製）の上面にＴＣＦ不織布（例えば、二村化学社製）を積層して、連結ユニット１６を得る。大きさは、例えば、前後方向の長さ１００ｍｍ、左右方向の幅３０ｍｍの帯状とする。
得られた連結ユニット１６は、結合部１８をスキンコンタクト部材１４の着用者の股下部に相当する部分の下面と結合させ、結合部２０を吸収体１２の上面に結合させる。これにより吸収体１２の上面とスキンコンタクト部材１４の下面との間隔が所定の距離（例えば、約１５ｍｍ）に維持されやすくなっている。
連結ユニット１６の結合部１８より前の部分は下に垂れ下がった状態となる。
【００４２】
以下、本発明の吸収体物品におけるスキンコンタクト部材及び連結ユニットの別の好適な態様について、説明する。
【００４３】
図３は、本発明の吸収体物品の別の例を示す模式図である。図３（Ａ）は平面図であり、図３（Ｂ）は図３（Ａ）中のＩＩＩＢ−ＩＩＩＢ線に沿った縦端面図である。
図３に示される吸収体物品１００ａは、基本的に、吸収体物品１００と同様であるが、連結ユニット１６ａの構造が連結ユニット１６と異なる。
連結ユニット１６ａは、左右方向の幅が、吸収体１２及びスキンコンタクト部材１４ａよりも広くなっている。
【００４４】
連結ユニット１６ａは、前端部の中央部が、スキンコンタクト部材１４ａの着用者の股下部に相当する部分の下面と結合している。さらに、後述するように、連結ユニット１６ａは吸収体１２とも結合しているため、連結ユニット１６と同様に、着用時に、スキンコンタクト部材１４ａの左右方向の位置のずれを防止することができる。また、連結ユニット１６の場合と同様に、スキンコンタクト部材１４ａは、前後方向には、ある程度の範囲で可動である。
【００４５】
また、連結ユニット１６ａは、その後側の大部分が、後身頃において、吸収体１２の上側の全面を被覆している。連結ユニット１６ａと吸収体１２との結合は、接触している部分において、全面的にされていてもよいし、一部のみでされていてもよい。
連結ユニット１６ａの後側部分は、着用者から排出され、便透過用開口Ｏｒを透過した便を受容する。
この態様においては、連結ユニット１６ａが、その左右側縁部及び後端部において、防漏体１０と結合しているのが好ましい。これにより、吸収体１２が後身頃において、連結ユニット１６ａと防漏体１０とにより形成される密閉空間に存在することになるので、連結ユニット１６ａとして液不透過性又は液難透過性の材料を用いると、吸収体１２が吸収した尿の外部への漏れを防止することができる。また、連結ユニット１６ａがその上側で受容する便と、連結ユニット１６ａの下側の吸収体１２が吸収する尿とが混じり合って、臭いが強くなったり、かぶれが発生しやすくなったりするなどの問題をなくすことができる。
【００４６】
図３に示される本発明の吸収体物品１００ａは、具体的には、以下のようにして構成することができる。
スキンコンタクト部材１４ａは、例えば、以下のようにして設けることができる。
まず、前後方向の長さ４５０ｍｍ、左右方向の幅７０ｍｍの目付量１３ｇ／ｍ２のＰＰ・ＳＭＳ不織布（例えば、アブゴール社製）の上側に、目付量２０ｇ／ｍ２で全面に多数の開孔（約１ｍｍ径）を持つレーヨンスパンレース不織布（例えば、ダイワボウ社製）を重ね、左右側縁部において、それぞれ２本の２００ｄｅｘウレタンフィラメント（例えば、東レ・デュポン社製）を伸長させた状態でこれら２枚の不織布の間に挟み込み、粘着剤により接合し、左右側縁部に伸縮性を付与する。
ついで、前身頃に尿透過用開口Ｏｆ、後身頃に便透過用開口Ｏｒを、間隔が１０ｍｍとなるように設けてそれぞれ形成し、スキンコンタクト部材１４ａを得る。
さらに、得られたスキンコンタクト部材１４ａを伸長させた状態で、その前端部及び後端部を、防漏体１０の前端部付近及び後端部付近にホットメルトで固定する。
【００４７】
連結ユニット１６ａは、例えば、以下のようにして設けることができる。
まず、防漏性のあるＰＥフィルムとＳＭＳとの積層体を連結ユニット１６ａとして用いる。大きさは、例えば、前後方向の長さ２５０ｍｍ、左右方向の幅１４０ｍｍの帯状とする。
連結ユニット１６ａは、前端部をスキンコンタクト部材１４ａの着用者の股下部に相当する部分の下面と結合させ、その後側の大部分を吸収体１２の上面に被覆した状態とし、スキンコンタクト部材１４ａとの結合部より後方へ３０ｍｍの間隔を設けて結合させる。また、連結ユニット１６ａのスキンコンタクト部材１４ａとの結合部より後方へ３０ｍｍの間隔を空けた左右側縁部及び後端部を防漏体１０と結合する。
【００４８】
図４は、本発明の吸収体物品の別の例を示す模式図である。図４（Ａ）は平面図であり、図４（Ｂ）は図４（Ａ）中のＩＶＢ−ＩＶＢ線に沿った縦端面図である。
図４に示される吸収体物品１００ｂは、基本的に、吸収体物品１００と同様であるが、連結ユニット１６ｂの構造が連結ユニット１６と異なる。
連結ユニット１６ｂは、連結ユニット１６と同様に、スキンコンタクト部材１４ｂの着用者の股下部に相当する部分の下面と結合し、その結合部よりも前に舌状に垂れ下がる垂れ下がり部を有し、また、連結ユニット１６ａと同様に、その結合部より後において、後方に行くに従って緩やかに下がって吸収体１２ａと接触し、吸収体１２ａの全面を被覆している。連結ユニット１６ｂは、吸収体１２ａとの接触部において吸収体１２ａと結合している。
連結ユニット１６ｂは、防漏体１０ａの後端部と結合し、また、防漏体１０ａの左右側部と結合部１９において結合している。
吸収体物品１００ｂにおいては、吸収体１２ａの上（後身頃においては連結ユニット１６ｂの下）に、トップシート２４を有している。トップシート２４を有することにより、吸収体が着用者の肌に接触した場合にも、その刺激を和らげ、吸収体から脱落したＳＡＰの肌への付着を防ぐことができる。
トップシートとしては、特に限定されず、例えば、従来公知のトップシートを用いることができる。
防漏体１０ａは、後身頃の左右側縁部において、前身頃と着脱可能とするための結束テープを有する着脱部材２６を有している。
吸収体物品１００ｂは、子供用おむつ又は大人用おむつとして好適に用いられる。
【００４９】
図５は、本発明の吸収体物品の別の例を示す模式図である。図５（Ａ）は平面図であり、図５（Ｂ）は図５（Ａ）中のＶＢ−ＶＢ線に沿った縦断面図である。
図５に示される吸収体物品１００ｃは、基本的に、吸収体物品１００と同様であるが、連結ユニット１６ｃの構造が連結ユニット１６と異なる。
連結ユニット１６ｃは、連結ユニット１６ａと同様に、その前端部において、スキンコンタクト部材１４ａの着用者の股下部に相当する部分の下面と結合しているが、後端部がほぼその直下に位置する吸収体１２の上面と結合している。
連結ユニット１６ｃの左右端部は、吸収体物品１００ｃの中央部において、防漏体１０の左右端部まで延在している。このように連結ユニット１６ｃが防漏体１０の内部空間を前後に仕切っているため、防漏体１０の前身頃の内部空間に排出された尿が後身頃に移動したり、防漏体１０の後身頃の内部空間に排出された便が前身頃に移動したりすることを効果的に防止することができる。特に、連結ユニット１６ｃが防漏性を有するのが好ましい。
連結ユニット１６ｃの前端部とスキンコンタクト部材１４ａの下面との結合は、左右２箇所に分かれた結合部１９ａで行われる。これにより、スキンコンタクト部材１４ａの左右縁部の伸縮性が阻害されなくすることができる。
このように連結ユニット１６ｃがスキンコンタクト部材１４ａと吸収体１２とを２箇所で結合しているので、スキンコンタクト部材１４ａは、左右方向への移動はほとんどできなくなるが、前後方向には、ある程度の範囲で可動である。したがって、スキンコンタクト部材１４ａの着用者の股下部に相当する部分（尿透過用開口部Ｏｆと便透過用開口部Ｏｒとの間の部分）を、着用者の股下部（会陰部）に密着させることが容易となる。
【００５０】
図５に示される本発明の吸収体物品１００ｃは、具体的には、以下のようにして構成することができる。
スキンコンタクト部材１４ａは、図３に示される吸収体物品１００ａにおけるスキンコンタクト部材１４ａと同様にして設けることができる。
連結ユニット１６ｃは、例えば、ＰＰ・ＳＭＳ不織布／ＰＥフィルム／ＰＰ・ＳＭＳ不織布の３層からなる積層体を用いて設けることができる。
【００５１】
図６は、本発明の吸収体物品の別の例を示す模式図である。図６（Ａ）は平面図であり、図６（Ｂ）は図６（Ａ）中のＶＩＢ−ＶＩＢ線に沿った縦端面図である。
図６に示される吸収体物品１００ｄは、基本的に、吸収体物品１００と同様であるが、スキンコンタクト部材２８の構造がスキンコンタクト部材１４と異なる。
スキンコンタクト部材２８は、図６に示されるように、前後方向に延在する左右２本の帯状部材からなる。帯状部材は、それぞれ、左右方向の幅が１０〜３０ｍｍであるのが好ましい。２本の帯状部材の間隔（内側縁部同士の間隔）は、子供用の吸収体物品に用いる場合は、２０〜７０ｍｍであるのが好ましく、また、大人用の吸収体物品に用いる場合は、３０〜１００ｍｍであるのが好ましい。
【００５２】
２本の帯状部材からなるスキンコンタクト部材２８は、シートからなるスキンコンタクト部材１４に比べて、着用者の身体との接触面積が小さくなり、その分、圧力が高くなりやすい。そのため、帯状部材としては、肌に刺激がなく、滑らかであるのが好ましい上、クッション性が高いものが好ましい。クッション性を高くするためには、伸縮性が高いもの、厚さがある程度大きいものが好ましい。
具体的には、例えば、伸縮性のあるＰＰ製、ポリウレタン製等の発泡体；伸縮包帯等に使用される弾性糸編成品；弾性フィルム、弾性ネット等の弾性部材と不織布との積層シートが好適に用いられる。
【００５３】
連結ユニット３０は、シート状の部材であり、結合部３２において、スキンコンタクト部材２８の着用者の股下部に相当する部分で、スキンコンタクト部材２８を構成する２本の帯状部材のそれぞれの下面と結合し、２本の帯状部材を連結している。
また、連結ユニット３０は、後端部が吸収体１２の上面に結合している。
これにより、スキンコンタクト部材２８の下面と吸収体１２の上面との間隔を一定以上に維持することができる。例えば、子供用の吸収体物品の場合、１０〜２０ｍｍに維持するのが好ましい。
【００５４】
このように２本の帯状部材からなるスキンコンタクト部材２８とこれらを連結する連結ユニット３０とにより、前身頃に尿透過用開口部Ｏｆ、後身頃に便透過用開口部Ｏｒが形成される。
また、連結ユニット３０の二つの結合部３２の間の部分は、図６（Ａ）に示されるように、上側に露出しており、着用時に着用者の股下部に接触する。
このように連結ユニット３０がスキンコンタクト部材２８と吸収体１２とを結合しているので、スキンコンタクト部材２８は、左右方向への移動はほとんどできなくなるが、前後方向には、ある程度の範囲で可動である。したがって、スキンコンタクト部材２８を構成する２本の帯状部材の間に存在する連結ユニット３０の部分（尿透過用開口部Ｏｆと便透過用開口部Ｏｒとの間の部分）を、着用者の股下部（会陰部）に密着させることが容易となる。
【００５５】
連結ユニット３０は、連結ユニット１６と同様に、結合部３２より前に、垂れ下がり部を有している。これにより、尿の吸収体１２への移動が円滑となり、特に、本発明の吸収体物品が女性用である場合に有用である。
【００５６】
図６に示される本発明の吸収体物品１００ｄは、具体的には、以下のようにして構成することができる。
スキンコンタクト部材２８は、例えば、３本の２００ｄｅｘポリウレタンフィラメント（例えば、東レ・デュポン社製）を５ｍｍ間隔で平行に並べて、２枚の１５ｇ／ｍ２のＰＥ／ＰＰスパンボンド不織布（例えば、チッソ社製）の間に伸長させた状態で挟み込み、粘着剤により接合して得られる幅２０ｍｍの伸縮性及びクッション性のある帯状部材を用いることができる。
この帯状部材２本を、例えば、間隔が４０ｍｍとなるように、その前端部及び後端部の近傍を防漏体１０に結合させて、スキンコンタクト部材２８を設ける。
連結ユニット３０は、３５メッシュのエラストマーネット（例えば、コンウェド社製）の上面にＴＣＦ不織布（例えば、二村化学社製）を積層して得ることができる。大きさは、例えば、前後方向の長さ１００ｍｍ、左右方向の幅６０ｍｍの帯状とする。
【００５７】
図７は、本発明の吸収体物品に用いられる２本の帯状部材からなるスキンコンタクト部材の種々の配置の例を示す模式的な平面図である。
図７（Ａ）に示されるスキンコンタクト部材２８ａは、２本の帯状部材が平行に配置されている。２本の帯状部材の間隔Ｌｗは、上述したように、子供用の吸収体物品に用いる場合は、２０〜７０ｍｍであるのが好ましく、また、大人用の吸収体物品に用いる場合は、３０〜１００ｍｍであるのが好ましい。連結ユニット３０ａは、その左右２箇所において、２本の帯状部材と結合している。
図７（Ｂ）に示されるスキンコンタクト部材２８ｂは、２本の帯状部材が交差するように配置されている。２本の帯状部材の間隔Ｌｗは、子供用の吸収体物品に用いる場合は、最も間隔が広い部分で５０〜７０ｍｍであるのが好ましく、また、大人用の吸収体物品に用いる場合は、最も間隔が広い部分で７０〜１００ｍｍであるのが好ましい。連結ユニット３０ａは、左右方向の中央部１箇所において、２本の帯状部材と結合している。
図７（Ｃ）に示されるスキンコンタクト部材２８ｃは、２本の帯状部材が離間して配置されており、連結ユニット３０ａの結合箇所において幅が狭く、それより前にいくに従って、また、後ろにいくに従って幅が広くなっている。２本の帯状部材の間隔Ｌｗは、子供用の吸収体物品に用いる場合は、最も間隔が広い部分で５０〜７０ｍｍであるのが好ましく、最も間隔が狭い部分で２０〜４０ｍｍであるのが好ましく、また、大人用の吸収体物品に用いる場合は、最も間隔が広い部分で７０〜１００ｍｍであるのが好ましく、最も間隔が狭い部分で３０〜５０ｍｍであるのが好ましい。連結ユニット３０ａは、その左右２箇所において、２本の帯状部材と結合している。
【００５８】
図８は、本発明の吸収体物品の別の例を示す模式図である。図８（Ａ）は平面図であり、図８（Ｂ）は図８（Ａ）中のＶＩＩＩＢ−ＶＩＩＩＢ線に沿った縦端面図である。
図８に示される吸収体物品１００ｅは、基本的に、吸収体物品１００ｄと同様であるが、連結ユニット３０ｂの構造が連結ユニット３０と異なる。
【００５９】
連結ユニット３０ｂは、前端部の左右２箇所が、スキンコンタクト部材２８を構成する２本の帯状部材の着用者の股下部に相当する部分の下面と結合している。さらに、後述するように、連結ユニット３０ｂは吸収体１２とも結合しているため、着用時に、スキンコンタクト部材２８の左右方向の位置のずれを防止することができる。また、スキンコンタクト部材３０ｂは、前後方向には、ある程度の範囲で可動である。
【００６０】
また、連結ユニット３０ｂは、その後側の大部分が、後身頃において、吸収体１２の上側の全面を被覆している。連結ユニット３０ｂと吸収体１２との結合は、接触している部分において、全面的にされていてもよいし、一部のみでされていてもよい。
連結ユニット３０ｂは、着用者から排出され、便透過用開口Ｏｒを透過した便を受容する。
この態様においては、連結ユニット３０ｂが、その左右側縁部及び後端部において、防漏体１０と接合しているのが好ましい。これにより、吸収体１２が後身頃において、連結ユニット３０ｂと防漏体１０とにより形成される密閉空間に存在することになるので、連結ユニット３０ｂとして液不透過性又は液難透過性の材料を用いると、吸収体１２が吸収した尿の外部への漏れを防止することができる。また、連結ユニット３０ｂがその上側で受容する便と、連結ユニット３０ｂの下側の吸収体１２が吸収する尿とが混じり合って、臭いが強くなったり、かぶれが発生しやすくなったりするなどの問題をなくすことができる。
【００６１】
連結ユニット３０ｂは、吸収体物品１００ａに用いられる連結ユニット１６ａと同様のものを用いることができる。
【００６２】
連結ユニット３０ｂは、シート状の部材であり、結合部３２ａにおいて、スキンコンタクト部材２８の着用者の股下部に相当する部分で、スキンコンタクト部材２８を構成する２本の帯状部材のそれぞれの下面と結合し、２本の帯状部材を連結している。
また、連結ユニット３０ｂは、上述したように、吸収体１２の上面に結合している。
これにより、スキンコンタクト部材２８の下面と吸収体１２の上面との間隔を一定以上に維持することができる。例えば、子供用の吸収体物品の場合、１０〜２０ｍｍに維持するのが好ましい。
【００６３】
このように２本の帯状部材からなるスキンコンタクト部材２８とこれらを連結する連結ユニット３０ｂとにより、前身頃に尿透過用開口部Ｏｆ、後身頃に便透過用開口部Ｏｒが形成される。
また、連結ユニット３０ｂの二つの結合部３２ａの間の部分は、図７（Ａ）に示されるように、上側に露出しており、着用時に着用者の股下部に接触する。
このように連結ユニット３０ｂがスキンコンタクト部材２８と吸収体１２とを結合しているので、スキンコンタクト部材２８は、左右方向への移動はほとんどできなくなるが、前後方向には、ある程度の範囲で可動である。したがって、スキンコンタクト部材２８を構成する２本の帯状部材の間に存在する連結ユニット３０ｂの部分（尿透過用開口部Ｏｆと便透過用開口部Ｏｒとの間の部分）を、着用者の股下部（会陰部）に密着させることが容易となる。
【００６４】
図９は、本発明の吸収体物品の別の例を示す模式図である。図９（Ａ）は平面図であり、図９（Ｂ）は図９（Ａ）中のＩＸＢ−ＩＸＢ線に沿った縦端面図である。
図９に示される吸収体物品１００ｆは、基本的に、吸収体物品１００ｄと同様であるが、連結ユニット３０ｃの構造が連結ユニット３０と異なる。
【００６５】
連結ユニット３０ｃは、前端部の左右２箇所が、スキンコンタクト部材２８を構成する２本の帯状部材の着用者の股下部に相当する部分の下面と結合し、後端部がほぼその直下に位置する吸収体１２の上面と結合している。
連結ユニット３０ｃの左右端部は、吸収体物品１００ｆの中央部において、防漏体１０の左右端部まで延在している。このように連結ユニット３０ｃが防漏体１０の内部空間を前後に仕切っているため、防漏体１０の前身頃の内部空間に排出された尿が後身頃に移動したり、防漏体１０の後身頃の内部空間に排出された便が前身頃に移動したりすることを効果的に防止することができる。特に、連結ユニット３０ｃが防漏性を有するのが好ましい。
このように連結ユニット３０ｃがスキンコンタクト部材２８と吸収体１２とを結合しているので、スキンコンタクト部材２８は、左右方向への移動はほとんどできなくなるが、前後方向には、ある程度の範囲で可動である。したがって、スキンコンタクト部材２８を構成する２本の帯状部材の間に存在する連結ユニット３０ｃの部分（尿透過用開口部Ｏｆと便透過用開口部Ｏｒとの間の部分）を、着用者の股下部（会陰部）に密着させることが容易となる。
【００６６】
図１０は、本発明の吸収体物品の別の例を示す模式図である。図１０（Ａ）は平面図であり、図１０（Ｂ）は図１０（Ａ）中のＸＢ−ＸＢ線に沿った縦断面図である。
図１０に示される吸収体物品１００ｇは、基本的に、吸収体物品１００ｄと同様であるが、連結ユニット３０ｄの構造が連結ユニット３０と異なる。
連結ユニット３０ｄは、スキンコンタクト部材２８を構成する二つの帯状部材を連結する連結部材３４と、連結部材３４と吸収体１２とを連結する連結部材３６とを有する。この連結部材３４と連結部材３６とにより、スキンコンタクト部材２８を構成する二つの帯状部材の着用者の股下部に相当する部分と吸収体１２とが結合される。
【００６７】
このように連結ユニット３０ｄがスキンコンタクト部材２８と吸収体１２とを結合しているので、スキンコンタクト部材２８は、左右方向への移動はほとんどできなくなるが、前後方向には、ある程度の範囲で可動である。したがって、スキンコンタクト部材２８を構成する２本の帯状部材の間に存在する連結ユニット３０ｄの中央部分（尿透過用開口部Ｏｆと便透過用開口部Ｏｒとの間の部分）を、着用者の股下部（会陰部）に密着させることが容易となる。
【００６８】
連結部材３４は、前後方向の長さが５〜２０ｍｍであるのが好ましい。また、連結部材３４の左右方向の幅は、スキンコンタクト部材２８を構成する二つの帯状部材を連結することができれば特に限定されないが、４０〜１４０ｍｍであるのが好ましい。子供用の吸収体物品の場合は、４０〜１００ｍｍであるのがより好ましい。大人用の吸収体物品の場合は、６０〜１４０ｍｍであるのがより好ましい。
連結部材３４は、着用者の股下部に接触するため、クッション性があるのが好ましい。クッション性を持たせるためには、弾性部材を用いてある程度の厚さとするのが好ましい。例えば、ＰＰ、ポリウレタン等の発泡体；ゴムチューブ；開繊トウ；不織布積層体で構成された柱状体が挙げられる。
図１１は、連結部材３４の模式的な斜視図である。図１１に示される連結部材３４は、円柱をつぶして平坦にした形状となっている。このような形状とすることにより、着用者の股下部に接触しても、その部分の肌を傷めるおそれが少なくなる。
連結部材３４は、図１０に示されるように、スキンコンタクト部材２８の中央部の上面側に接合して設けられる。
【００６９】
連結部材３４としては、例えば、前後方向の長さ２０ｍｍ、左右方向の幅７０ｍｍ、厚さ３ｍｍのポリエステル型軟質ウレタンフォーム（例えば、イノアック社製）を用いることができる。
【００７０】
図１２は、連結部材３６の模式的な平面図である。図１２に示される連結部材３６は、シート状である。
連結部材３６は、例えば、前後方向の長さ１００ｍｍ、左右方向の幅３０ｍｍの帯状とする。
連結部材３６は、例えば、３５メッシュのエラストマーネット（例えば、コンウェド社製）の上面にＴＣＦ不織布（例えば、二村化学社製）を積層して得ることができる。
【００７１】
連結部材３６は、図１０に示されるように、連結部材３４の中央部の上面を被覆するように設けられる。連結部材３６の連結部材３４より前に存在する部分は、舌状の垂れ下がり部を形成している。これにより、尿の吸収体１２への移動が円滑となり、特に、本発明の吸収体物品が女性用である場合に有用である。
また、連結部材３６の後端部は、吸収体１２の上面に結合される。
【００７２】
このように２本の帯状部材からなるスキンコンタクト部材２８とこれらを連結する連結部材３４及び連結部材３６とを有する連結ユニット３０ｄとにより、前身頃に尿透過用開口部Ｏｆ、後身頃に便透過用開口部Ｏｒが形成される。
また、連結ユニット３０ｄの連結部材３６の中央部は、図１０（Ａ）に示されるように、上側に露出しており、着用時に着用者の股下部に接触する。
【００７３】
図１３は、本発明の吸収体物品の別の例を示す模式図である。図１３（Ａ）は平面図であり、図１３（Ｂ）は図１３（Ａ）中のＸＩＩＩＢ−ＸＩＩＩＢ線に沿った縦断面図である。
図１３に示される吸収体物品１００ｈは、基本的に、吸収体物品１００ｇと同様であるが、スキンコンタクト部材３８の構造がスキンコンタクト部材２８と異なる。
【００７４】
図１４は、スキンコンタクト部材３８の模式図である。図１４（Ａ）は側面図であり、図１４（Ｂ）は図１４（Ａ）中のＸＩＶＢ−ＸＩＶＢ線に沿った横端面図である。
図１４に示されるようにスキンコンタクト部材３８は、帯状部材４０と、一方の端部が折り返して帯状部材４０の上面を被覆し他の端部がその下に垂れ下がる垂下部材４２とを有する。
なお、スキンコンタクト部材は、帯状部材の下側で垂下部材が帯状部材と結合している態様とすることもできる。
【００７５】
帯状部材４０は、例えば、吸収体物品１００ｄに用いられるスキンコンタクト部材２８を構成する帯状部材と同様の材料を用いて構成することができる。
具体的には、例えば、幅１０ｍｍのゴム糸バンド（例えば、パジャマゴム、フジハト社製）を用いることができる。
【００７６】
垂下部材４２は、例えば、スパンメルト不織布、吸収体物品１００に用いられるスキンコンタクト部材１４と同様の材料を用いて構成することができる。
具体的には、例えば、目付量１５ｇ／ｍ２のＰＰ・ＳＭＳ不織布（例えば、アブゴール社製）を用いることができる。
垂下部材４２は、図１４においては、プリーツ（襞）を有しているが、本発明においては、プリーツを有していないものも好適に用いられる。
垂下部材４２の垂下部分の長さは、例えば、１０〜３０ｍｍとする。
股下部付近の垂下部材４２の垂下部分の先端部と吸収体１２との距離は、１〜３ｍｍとするのが好ましいが、両者は一部接触していてもよい。
【００７７】
帯状部材４０と垂下部材４２との結合は、方法を特に限定されないが、例えば、ミシンで縫製する方法、接着剤により結合させる方法が挙げられる。
【００７８】
吸収体物品１００ｈにおいては、前後方向に延在する左右２本の帯状部材４０と、帯状部材４０から垂れ下がる垂下部材４２とを有するスキンコンタクト部材３８が平行に設けられている。帯状部材４０の間隔は、例えば、６０ｍｍとする。
従来の吸収体物品においては、着用者から排出された尿が、着用者の肌を伝って吸収体物品の外部に漏れやすいという問題があったのに対し、この態様の本発明の吸収体物品においては、スキンコンタクト部材３８が肌に密着しているため、尿が着用者の肌を伝っても、スキンコンタクト部材３８により尿の流れが止められ、その後、尿はスキンコンタクト部材３８の垂下部材４２を伝って吸収体１２の上に円滑に移動することになる。
【００７９】
連結ユニット３０ｄは、スキンコンタクト部材３８の着用者の股下部に相当する部分で、２本の帯状部材４０を連結する。連結の態様は、連結ユニット３０ｄが帯状部材４０に直接結合していてもよく、垂下部材４２を介して結合していてもよい。
連結ユニット３０ｄは、吸収体物品１００ｇに用いられるものと同様とすることができる。
【００８０】
図１５は、本発明の吸収体物品の別の例を示す模式図である。図１５（Ａ）は平面図であり、図１５（Ｂ）は図１５（Ａ）中のＸＶＢ−ＸＶＢ線に沿った縦断面図である。
図１５に示される吸収体物品１００ｉは、基本的に、吸収体物品１００ｈと同様であるが、連結ユニット３０ｅの構造が連結ユニット３０ｄと異なる。
【００８１】
連結ユニット３０ｅは、２本のスキンコンタクト部材３８を連結する連結部材３４と、連結部材３４と吸収体１２とを連結する連結部材３６ａとを有する。この連結部材３４と連結部材３６ａとにより、スキンコンタクト部材３８の着用者の股下部に相当する部分と吸収体１２とが結合される。
【００８２】
このように連結ユニット３０ｅがスキンコンタクト部材３８と吸収体１２とを結合しているので、スキンコンタクト部材３８は、左右方向への移動はほとんどできなくなるが、前後方向には、ある程度の範囲で可動である。したがって、２本のスキンコンタクト部材の間に存在する連結ユニット３０ｅの中央部分（尿透過用開口部Ｏｆと便透過用開口部Ｏｒとの間の部分）を、着用者の股下部（会陰部）に密着させることが容易となる。
【００８３】
連結ユニット３０ｅに用いられる連結部材３４は、連結ユニット３０ｄに用いられるものと同様のものを用いることができる。
【００８４】
図１６は、連結部材３６ａの模式的な平面図である。
連結部材３６ａは、図１６に示されるように、連結部材３４と結合する前側部分と、吸収体１２を後身頃において被覆する後側部分とを有する。
連結部材３６ａの前側部分は、吸収体物品１００ｈに用いられる連結部材３６と同様のものとすることができる。
連結部材３６ａの後側部分は、後身頃において、吸収体１２の上側の全面を被覆している。連結部材３６ａと吸収体１２との接合は、接触している部分において、全面的にされていてもよいし、一部のみでされていてもよい。
連結ユニット３６ａは、着用者から排出され、便透過用開口Ｏｒを透過した便を受容する。
この態様においては、連結ユニット３６ａが、その左右側縁部及び後端部において、防漏体１０と接合しているのが好ましい。これにより、吸収体１２が後身頃において、連結ユニット３６ａと防漏体１０とにより形成される密閉空間に存在することになるので、連結ユニット３６ａとして液不透過性又は液難透過性の材料を用いると、吸収体１２が吸収した尿の外部への漏れを防止することができる。また、連結ユニット３６ａがその上側で受容する便と、連結ユニット３６ａの下側の吸収体１２が吸収する尿とが混じり合って、臭いが強くなったり、かぶれが発生しやすくなったりするなどの問題をなくすことができる。
【００８５】
連結部材３６ａの前側部分は、２本のスキンコンタクト部材３８の間隔より幅が狭くなっており、連結部材３４との結合部分より前において、下側に垂れ下がっている。
連結部材３６ａの後側部分は、吸収体１２の左右方向の幅より広くなっている。
連結部材３６ａの前側部分と後側部分とは、両者を構成する幅の異なるシートを一部重ね合わせて結合することにより得られるが、一つの部材であってもよい。
連結部材３６ａは、例えば、ＳＭＳにＰＥフィルムをラミネートした材料を用いることができる。
【００８６】
本発明の吸収体物品は、それぞれ上述した防漏体と、吸収体と、スキンコンタクト部材と、連結ユニットとを具備するものであれば、特に限定されず、例えば、従来公知の吸収体物品の種々の構成部材を更に具備していてもよい。
【００８７】
例えば、本発明の吸収体物品は、レッグギャザーを具備することができる。
レッグギャザーは、特に限定されず、例えば、従来公知の吸収体物品におけるレッグギャザーと同様のものを用いることができる。
レッグギャザーは、一般的に２種類に分類される。一つは、吸収体物品の本体の左右両側縁に存在するアウターレッグギャザー（ガゼットギャザーとも呼ばれる。以下「ＯＬＧ」という。）であり、もう一つは、吸収体物品の内部に設けられる、高吸水性樹脂、パルプ等で構成された吸収体の左右両側から立体的に立ち上がるインナーレッグギャザー（スタンディングレッグギャザーとも呼ばれる。以下「ＩＬＧ」という。）である。
したがって、左右方向における前記スキンコンタクト部材が存在する位置よりも外側に、更に、左右一対のインナーレッグギャザーを具備するのは、本発明の吸収体物品の好ましい態様の一つである。
また、左右方向における前記スキンコンタクト部材が存在する位置よりも外側に、更に、左右一対のアウターレッグギャザーを具備するのは、本発明の吸収体物品の好ましい態様の一つである。
なお、本発明においては、ＩＬＧ及びＯＬＧの具備の態様は、特に限定されない。例えば、ＩＬＧを単独で用いてもよく、ＯＬＧを単独で用いてもよく、ＩＬＧ及びＯＬＧの両者を用いてもよい。
【００８８】
図１７は、本発明の吸収体物品の別の例を示す模式図である。図１７（Ａ）はパンツ型オムツの態様である吸収体物品をそのウエストギャザーの左右両側の部分（図中のＺ）を切断して展開した状態の平面図であり、図１７（Ｂ）は斜視図である。
図１７に示される吸収体物品１００ｊは、基本的に、吸収体物品１００ｆと同様であるが、第１防漏体１０及び吸収体１２の上にトップシート２４を具備する点、左右方向におけるスキンコンタクト部材２８が存在する位置よりも外側に、更に、左右一対のアウターレッグギャザー５０を具備する点、パンツ型おむつであるため、着脱部材を有さず、防漏体１０ｂを被覆してパンツの形状とする外装シート６０、及び、着用時に着用者の腰の周囲に密着するウエストギャザー７０をそれぞれ具備する点で異なる。
吸収体物品１００ｊにおける防漏体１０ｂは、形状等の細かい点で異なるものの、吸収体物品１００ｆにおける防漏体１０に相当する。
トップシート２４ａは、第１防漏体１０及び吸収体１２の上を全面的に被覆している。トップシートとしては、特に限定されず、例えば、従来公知のトップシートを用いることができる。
アウターレッグギャザー５０は、トップシート２４ａにより被覆されることにより固定されている糸状ゴムにより構成されている。糸状ゴムとしては、例えば、３本のポリウレタンフィラメントを用いることができる。
外装シート６０及びウエストギャザー７０は、特に限定されず、例えば、従来公知のものを用いることができる。
【００８９】
本発明の吸収体物品は、ウエストバンドテープ型としてもよく、パンツ型（テープレス）としてもよい。
【００９０】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【００９１】
本発明の吸収体物品は、紙おむつ（子供用及び大人用）、失禁用品、トレーニングパンツ等に好適に用いられる。
【符号の説明】
【００９２】
１０、１０ａ、１０ｂ  防漏体
１２、１２ａ  吸収体
１４、１４ａ、１４ｂ、２８、２８ａ、２８ｂ、２８ｃ、３８  スキンコンタクト部材
１６、１６ａ、１６ｂ、１６ｃ、３０、３０ａ、３０ｂ、３０ｃ、３０ｄ、３０ｅ  連結ユニット
１８、１９、１９ａ、２０、３２、３２ａ  結合部
２２  垂れ下がり部
２４、２４ａ  トップシート
２６  着脱部材
３４、３６、３６ａ  連結部材
４０  帯状部材
４２  垂下部材
５０  アウターレッグギャザー
６０  外装シート
７０  ウエストギャザー
１００、１００ａ、１００ｂ、１００ｃ、１００ｄ、１００ｅ、１００ｆ、１００ｇ、１００ｈ、１００ｉ、１００ｊ  吸収体物品
【図１】
2013088751.tif 000004
【図２】
2013088751.tif 000005
【図３】
2013088751.tif 000006
【図４】
2013088751.tif 000007
【図５】
2013088751.tif 000008
【図６】
2013088751.tif 000009
【図７】
2013088751.tif 000010
【図８】
2013088751.tif 000011
【図９】
2013088751.tif 000012
【図１０】
2013088751.tif 000013
【図１１】
2013088751.tif 000014
【図１２】
2013088751.tif 000015
【図１３】
2013088751.tif 000016
【図１４】
2013088751.tif 000017
【図１５】
2013088751.tif 000018
【図１６】
2013088751.tif 000019
【図１７】
2013088751.tif 000020
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
シート状の防漏体と、
前記防漏体の上部に、少なくとも１層配置された、体液を吸収しうる吸収体と、
前記吸収体の上部において前記防漏体の前部と前記防漏体の後部との間にかけて配置され、着用時に、着用者の肌に接触し、かつ、前記吸収体と離間した状態となる、スキンコンタクト部材と、
着用時に前記スキンコンタクト部材の着用者の股下部に相当する部分と、前記吸収体とを結合する、連結ユニットと
を具備する、吸収体物品。
【請求項２】
前記スキンコンタクト部材が、前後方向に延在する左右２本の帯状部材からなり、
前記連結ユニットが、前記スキンコンタクト部材の着用者の股下部に相当する部分で前記２本の帯状部材を連結し、前身頃に尿透過用開口部、後身頃に便透過用開口部が形成されている、請求項１に記載の吸収体物品。
【請求項３】
前記左右２本の帯状部材が前身頃及び後身頃において間隔を有して設けられている、請求項２に記載の吸収体物品。
【請求項４】
前記スキンコンタクト部材が、更に、前記帯状部材から垂れ下がる垂下部材を有する、請求項２又は３に記載の吸収体物品。
【請求項５】
前記連結ユニットの前記スキンコンタクト部材と結合する部分より前の部分が、前記尿透過用開口部の下側に垂れ下がっている、請求項２〜４のいずれかに記載の吸収体物品。
【請求項６】
前記連結ユニットが、股下部から後端部に至る部位において前記吸収体の少なくとも一部を被覆している、請求項２〜５のいずれかに記載の吸収体物品。
【請求項７】
前記連結ユニットの左右端部が、前記防漏体の左右端部まで延在している、請求項２〜５のいずれかに記載の吸収体物品。
【請求項８】
前記スキンコンタクト部材が、前身頃部に尿透過用開口を有し、かつ、後身頃部に便透過用開口を有するシートである、請求項１に記載の吸収体物品。
【請求項９】
前記連結ユニットの前記スキンコンタクト部材と結合する部分より前の部分が、前記尿透過用開口部の下側に垂れ下がっている、請求項８に記載の吸収体物品。
【請求項１０】
前記連結ユニットが、股下部から後端部に至る部位において前記吸収体の少なくとも一部を被覆している、請求項８又は９に記載の吸収体物品。
【請求項１１】
前記連結ユニットの左右端部が、前記防漏体の左右端部まで延在している、請求項８又は９に記載の吸収体物品。
【請求項１２】
前記吸収体が、高吸水性樹脂を含有する、請求項１〜１１のいずれかに記載の吸収体物品。
【請求項１３】
左右方向における前記スキンコンタクト部材が存在する位置よりも外側に、更に、左右一対のインナーレッグギャザーを具備する、請求項１〜１２のいずれかに記載の吸収体物品。
【請求項１４】
左右方向における前記スキンコンタクト部材が存在する位置よりも外側に、更に、左右一対のアウターレッグギャザーを具備する、請求項１〜１３のいずれかに記載の吸収体物品。
【手続補正２】
【補正対象書類名】明細書
【補正対象項目名】００１２
【補正方法】変更
【補正の内容】
【００１２】
すなわち、本発明は、以下の（１）〜（１４）を提供する。
（１）シート状の防漏体と、
前記防漏体の上部に、少なくとも１層配置された、体液を吸収しうる吸収体と、
前記吸収体の上部において前記防漏体の前部と前記防漏体の後部との間にかけて配置され、着用時に、着用者の肌に接触し、かつ、前記吸収体と離間した状態となる、スキンコンタクト部材と、
着用時に前記スキンコンタクト部材の着用者の股下部に相当する部分と、前記吸収体とを結合する、連結ユニットと
を具備する、吸収体物品。
（２）前記スキンコンタクト部材が、前後方向に延在する左右２本の帯状部材からなり、
前記連結ユニットが、前記スキンコンタクト部材の着用者の股下部に相当する部分で前記２本の帯状部材を連結し、前身頃に尿透過用開口部、後身頃に便透過用開口部が形成されている、上記（１）に記載の吸収体物品。
（３）前記左右２本の帯状部材が前身頃及び後身頃において間隔を有して設けられている、上記（２）に記載の吸収体物品。
（４）前記スキンコンタクト部材が、更に、前記帯状部材から垂れ下がる垂下部材を有する、上記（２）又は（３）に記載の吸収体物品。
（５）前記連結ユニットの前記スキンコンタクト部材と結合する部分より前の部分が、前記尿透過用開口部の下側に垂れ下がっている、上記（２）〜（４）のいずれかに記載の吸収体物品。
（６）前記連結ユニットが、股下部から後端部に至る部位において前記吸収体の少なくとも一部を被覆している、上記（２）〜（５）のいずれかに記載の吸収体物品。
（７）前記連結ユニットの左右端部が、前記防漏体の左右端部まで延在している、上記（２）〜（５）のいずれかに記載の吸収体物品。
（８）前記スキンコンタクト部材が、前身頃部に尿透過用開口を有し、かつ、後身頃部に便透過用開口を有するシートである、上記（１）に記載の吸収体物品。
（９）前記連結ユニットの前記スキンコンタクト部材と結合する部分より前の部分が、前記尿透過用開口部の下側に垂れ下がっている、上記（８）に記載の吸収体物品。
（１０）前記連結ユニットが、股下部から後端部に至る部位において前記吸収体の少なくとも一部を被覆している、上記（８）又は（９）に記載の吸収体物品。
（１１）前記連結ユニットの左右端部が、前記防漏体の左右端部まで延在している、上記（８）又は（９）に記載の吸収体物品。
（１２）前記吸収体が、高吸水性樹脂を含有する、上記（１）〜（１１）のいずれかに記載の吸収体物品。
（１３）左右方向における前記スキンコンタクト部材が存在する位置よりも外側に、更に、左右一対のインナーレッグギャザーを具備する、上記（１）〜（１２）のいずれかに記載の吸収体物品。
（１４）左右方向における前記スキンコンタクト部材が存在する位置よりも外側に、更に、左右一対のアウターレッグギャザーを具備する、上記（１）〜（１３）のいずれかに記載の吸収体物品。
【国際調査報告】
2013088751.tif 000021
2013088751.tif 000022
2013088751.tif 000023
2013088751.tif 000024